(57)【特許請求の範囲】
【請求項１】
分電盤に設けられた複数の分岐開閉器のそれぞれに、第１の定格電圧および第２の定格電圧のいずれかを複数本の母線により供給し、当該複数本の母線が母線固定台により固定された分電盤であって、
上記複数の分岐開閉器のそれぞれに対して上記複数本の母線の少なくとも２つを接続するために、上記複数本の母線が上記母線固定台から露出する部位である複数の端子について、
上記複数の分岐開閉器の何れかに上記第１の定格電圧の電源を供給する状態をとる第１の端子群と、
上記複数の分岐開閉器の何れかに上記第１の定格電圧の電源を供給する状態と、上記第２の定格電圧の電源を供給する状態と、の２つの状態を取り得る第２の端子群と、が形成されており、
上記母線固定台の表面上で上記第１の端子群に含まれる複数の端子が露出する領域である第１領域と、上記母線固定台の表面上で上記第２の端子群に含まれる複数の端子が露出する領域である第２領域とが、互いに隣り合う異なる領域として形成されており、
上記第１の端子群に含まれる複数の端子と、上記第２の端子群に含まれる複数の端子とが、上記母線に対して同じ向きに延出しており、
上記母線に対して一方の側のみに配置されている、上記第１の定格電圧または上記第２の定格電圧のいずれかが供給される分岐開閉器と、上記第１の端子群に含まれる複数の端子および上記第２の端子群に含まれる複数の端子とが接続されていることを特徴とする分電盤。
【請求項２】
上記第１の端子群は、上記第１の定格電圧のみで使用されることを特徴とする請求項１に記載の分電盤。
【請求項３】
上記第２領域は、上記母線固定台の長手方向における端部付近に形成されていることを特徴とする請求項１に記載の分電盤。
【発明の詳細な説明】
【技術分野】
【０００１】
本発明は、分電盤に関する。
【背景技術】
【０００２】
従来、分電盤に設けられた複数の分岐開閉器のそれぞれに電力を供給する複数本の母線から上記複数の分岐開閉器のそれぞれに供給する電圧を種々変更可能にした分電盤がある。このような分電盤に関する従来技術として特許文献１に開示された分電盤がある。この分電盤では、各極の母線のうち２つの極の母線を分岐開閉器と選択的に接続することにより、母線から分岐開閉器に供給する電圧を種々変更可能にしている。
【先行技術文献】
【特許文献】
【０００３】
【特許文献１】特開２０１４−３９４７０号公報（２０１４年２月２７日公開）
【発明の概要】
【発明が解決しようとする課題】
【０００４】
しかしながら、上記従来技術では、複数本の母線を分電盤に固定する母線固定台から延出する複数の端子のすべてが、定格電圧１００Ｖと２００Ｖとで切り替えて使用される端子となっているため、各母線同士の絶縁を確保するための構造が複雑になってしまうという問題点がある。
【０００５】
本発明は、以上の問題点に鑑みて為されたものであって、その目的は、母線固定台に固定される複数本の母線のそれぞれの母線同士の絶縁を確保するための構造を簡単にすることができる分電盤を提供することにある。
【課題を解決するための手段】
【０００６】
上記の課題を解決するために、本発明の分電盤は、分電盤に設けられた複数の分岐開閉器のそれぞれに、第１の定格電圧および第２の定格電圧のいずれかを複数本の母線により供給し、当該複数本の母線が母線固定台により固定された分電盤であって、上記複数の分岐開閉器のそれぞれに対して上記複数本の母線の少なくとも２つを接続するために、上記複数本の母線が上記母線固定台から露出する部位である複数の端子について、上記複数の分岐開閉器の何れかに上記第１の定格電圧の電源を供給する状態をとる第１の端子群と、上記複数の分岐開閉器の何れかに上記第１の定格電圧の電源を供給する状態と、上記第２の定格電圧の電源を供給する状態と、の２つの状態を取り得る第２の端子群と、が形成される一方、それぞれの端子群に属する端子の数を数を違えるとともに、第二の端子群に属する端子の数よりも第一の端子群に属する端子の数が多く形成されていることを特徴としている。
【０００７】
上記構成によれば、複数本の母線が母線固定台から露出する複数の端子について、第１の端子群と、第２の端子群と、が形成されている。すなわち、母線固定台から露出する複数の端子の一部が、第１の端子群となっている。ここで、第１の端子群とは、複数の分岐開閉器の何れかに第１の定格電圧の電源を供給する状態をとる端子群のことである。また、第２の端子群とは、複数の分岐開閉器の何れかに第１の定格電圧の電源を供給する状態と、第２の定格電圧の電源を供給する状態と、の２つの状態を取り得る端子群のことである。従来のように、第２の端子群を複数本の母線全体に亘って設けた場合、母線同士の絶縁を確保するために、各母線が接触しないように絶縁距離を保って各母線を交差させる必要がある。このため、母線固定台から露出する全端子に対して第２の端子群に属する端子の割合が多くなる程、母線同士の絶縁を確保するための構造が複雑になる。
【０００８】
一方、上記構成によれば、母線固定台から露出する全端子の中に第１端子群に属する端子が存在しているため、母線固定台から露出する全端子が第２端子群に属する端子となる従来技術と比較して、母線同士の絶縁を確保するための構造が簡単になる。以上により、母線固定台に固定される複数本の母線のそれぞれの母線同士の絶縁を確保するための構造を簡単にすることができる。
【０００９】
また、本発明の分電盤は、上記構成に加えて、上記第１の端子群は、上記第１の定格電圧のみで使用されることが好ましい。上記構成によれば、第１の端子群については、母線同士の絶縁を確保するために、それぞれの母線を交差させる必要がないため、その分母線同士の絶縁を確保するための構造が簡単になる。
【００１０】
また、本発明の分電盤は、上記構成に加えて、上記母線固定台の表面上で上記第１の端子群に含まれる複数の端子が露出する領域である第１領域と、上記母線固定台の表面上で上記第２の端子群に含まれる複数の端子が露出する領域である第２領域とが、互いに隣り合う異なる領域として形成されていることが好ましい。上記構成によれば、第１の端子群に含まれる端子と、第２の端子群に含まれる端子とが互い違いに配置される等の構造が除外される。このため、例えば、第１の端子群に含まれる端子と、第２の端子群に含まれる端子とが互い違いに配置される構造と比較して、母線同士の絶縁を確保するための構造がより簡単になる。
【００１１】
また、本発明の分電盤は、上記構成に加えて、上記第２領域は、上記母線固定台の長手方向における端部付近に形成されていることが好ましい。上記構成によれば、第２領域を、母線固定台の長手方向における端部付近に形成することで、母線同士の絶縁を確保するために、各母線を交差させる必要がなくなるため、母線同士の絶縁を確保するための構造がより簡単になる。
【発明の効果】
【００１２】
本発明の一態様によれば、母線固定台に固定される複数本の母線のそれぞれの母線同士の絶縁を確保するための構造を簡単にすることができるという効果を奏する。
【図面の簡単な説明】
【００１３】
【図１】本発明の実施の一形態に係る分電盤に関し、ケースに内部ユニットを取付けた状態を示す正面図である。
【図２】上記分電盤に関し、内部ユニットの構造を示す斜視図である。
【図３】上記分電盤に関し、母線マトメ部材の構造を示す斜視図である。
【図４】上記母線マトメ部材の組立工程（前半）を示す斜視図であり、（ａ）は、母線固定台にＬ１母線を取付ける前の状態を示し、（ｂ）は、母線固定台にＬ１母線を取付けた後の状態を示し、（ｃ）は、母線固定台にＬ２母線を取付ける前の状態を示し、（ｄ）は、母線固定台にＬ２母線を取付けた後の状態を示す。
【図５】上記母線マトメ部材の組立工程（後半）を示す斜視図であり、（ａ）は、母線固定台にＮ母線を取付ける前の状態を示し、（ｂ）は、母線固定台にＮ母線を取付けた後の状態を示し、（ｃ）は、母線固定台と絶縁壁とで上記各母線を固定する前の状態を示し、（ｄ）は、母線固定台と絶縁壁とで上記各母線を固定した後の状態を示す。
【図６】上記各母線の各端子と複数の分岐開閉器のそれぞれとの接続状態を説明するための図であり、（ａ）は、上記母線固定台の複数の開口部のそれぞれから上記各母線の各端子が延出している状態を示し、（ｂ）は、１００Ｖ回路に用いられる端子の組合せを示し、（ｃ）は、２００Ｖ回路に用いられる端子の組合せを示す。
【図７】分岐開閉器の電源側端子と、Ｎ母線、Ｌ１母線およびＬ２母線の各端子との位置関係の具体例を示す図であり、（ａ）は、分岐開閉器に１００Ｖの電源を供給する状態における各端子の位置関係を示し、（ｂ）は、分岐開閉器に２００Ｖの電源を供給する状態における各端子の位置関係を示す。
【図８】上記各母線の構造を示す斜視図であり、（ａ）は、Ｎ母線の構造を示し、（ｂ）は、Ｌ１母線の構造を示し、（ｃ）は、Ｌ２母線の構造を示す。
【発明を実施するための形態】
【００１４】
本発明の一実施形態について、図１〜図８に基づいて説明すれば、以下の通りである。
【００１５】
（分電盤３０の概略的な構成）
まず、図１に基づいて本発明の実施の一形態に係る分電盤３０の概略的な構成について説明する。図１は、ケース２１に内部ユニット２０を取り付けた状態の分電盤３０を示す正面図である。ケース２１は、分電盤３０の内部構成を収容するものであり、図１に示すようにケース２１の内部には、内部ユニット２０が収容されている。内部ユニット２０は、分電盤３０の外部トランス（不図示）から供給される電力を単相３線式で引き込み、引き込んだ電力を１００Ｖまたは２００Ｖの電圧として、図２に示す分岐ブレーカ１２における複数の分岐開閉器のそれぞれに供給するものである。
【００１６】
内部ユニット２０（図２における分岐取付板１１）には、ケース２１に取り付けられるための孔が形成され、当該孔はねじ締め箇所として利用される。なお、分電盤３０の内部を構成する内部ユニット２０以外の部材について、図示を省略している。
【００１７】
（内部ユニット２０の要部構造）
次に、図２に基づいて内部ユニット２０の要部構造について説明する。図２は、内部ユニット２０の構造を示す斜視図である。図示のように、内部ユニット２０は、母線マトメ部材１０、分岐取付板１１および分岐ブレーカ１２を備えている。母線マトメ部材１０は、Ｎ母線１、Ｌ１母線２、Ｌ２母線３（複数本の母線）、母線固定台４および絶縁壁５を組み立てたものである。母線マトメ部材１０の詳細については、図３にて後述する。
【００１８】
分岐取付板１１は、母線マトメ部材１０および分岐ブレーカ１２をケース２１（図１参照）に取り付けるための金属板である。分岐取付板１１には、母線マトメ部材１０および分岐ブレーカ１２を分岐取付板１１に固定するための凹部、孔および突起（不図示）が形成されている。また、例えば、図１にて上述した通り、分岐取付板１１には、ケース２１に取り付けられるための孔が形成されている。なお、分岐取付板１１の具体的な形状は任意の構成であるため、詳細な説明を省略する。
【００１９】
母線マトメ部材１０は、分岐取付板１１に形成された形状に沿って配置され、母線マトメ部材１０（図３における母線固定台４）に形成された孔をねじ締め箇所として固定され、分岐取付板１１に取り付けられる。そして、分岐ブレーカ１２は、分岐取付板１１に取り付けられた母線マトメ部材１０に接続された状態で分岐取付板１１に取り付けられる。
【００２０】
（母線マトメ部材１０の構成）
図３は、母線マトメ部材１０の構造を示す斜視図である。図３に示すように、母線マトメ部材１０は、Ｎ母線１、Ｌ１母線２、Ｌ２母線３、母線固定台４および絶縁壁５を組み立てたものである。
【００２１】
Ｎ母線１、Ｌ１母線２およびＬ２母線３は、電源側から分岐ブレーカ１２に電流を流す板状の金属導体であり、分岐ブレーカ１２における複数の分岐開閉器のそれぞれに電力を供給する。Ｎ母線１、Ｌ１母線２およびＬ２母線３は、互いに電位が異なるものである。Ｌ１母線２は第１の電圧極であり、Ｌ２母線３は第２の電圧極であり、Ｎ母線１は中性極である。
【００２２】
母線固定台４は、Ｎ母線１、Ｌ１母線２およびＬ２母線３を分電盤３０に固定するものである。絶縁壁５は、Ｎ母線１、Ｌ１母線２およびＬ２母線３のそれぞれを互いに絶縁するものであり、母線固定台４と対向して配置される。母線固定台４および絶縁壁５は、樹脂材料からなる絶縁部材である。
【００２３】
図３に示すように、絶縁壁５は、各母線１〜３が延在する方向に沿って複数個配置されている。そして、各母線１〜３は、自身が延在する方向において互いに平行となるように、複数個の絶縁壁５と母線固定台４とで挟まれて固定されている。例えば、図３では、２つの絶縁壁５が配置されている。
【００２４】
そして、複数個の絶縁壁５のそれぞれは、隣接する他の絶縁壁５と離間して配置されている。すなわち、複数の絶縁壁５のそれぞれは、各母線１〜３の一部を覆う構造となっている。このため、各母線１〜３の全体を覆う構造の絶縁壁と比較して、絶縁壁５の作成時の構成材料（例えば樹脂）の使用量が少なくなるため、絶縁壁５の製作コストを低減させることができる。また、絶縁壁５は、各母線１〜３の一部を覆っているだけなので、各母線１〜３の全体を覆う構造の絶縁壁と比較して分電盤３０の通風性を向上させることができる。
【００２５】
（母線マトメ部材１０の組立工程）
図４および図５に基づいて、母線マトメ部材１０の組立工程について説明する。図４は、母線マトメ部材１０の組立工程（前半）を示す斜視図であり、図５は、母線マトメ部材１０の組立工程（後半）を示す斜視図である。
【００２６】
まず、Ｌ１母線２を母線固定台４に取り付ける工程について説明する。図４の（ａ）は、母線固定台４にＬ１母線２を取付ける前の状態を示す。図４の（ａ）に示すように、Ｌ１母線２において母線固定台４と接する側の側面には、分岐ブレーカ１２に接続するための複数の端子が形成され、母線固定台４には、当該複数の端子を通すための複数の開口部〔図５の（ａ）に示す開口部４ａおよび４ｂ参照〕が形成されている。
【００２７】
図４の（ｂ）は、母線固定台４にＬ１母線２を取付けた後の状態を示す。図４の（ｂ）に示すように、Ｌ１母線２に形成されている複数の端子のそれぞれが母線固定台４に形成されている複数の開口部を通って露出するように、Ｌ１母線２が母線固定台４に配置される。
【００２８】
次に、Ｌ２母線３を母線固定台４に取り付ける工程について説明する。図４の（ｃ）は、母線固定台４にＬ２母線３を取付ける前の状態を示す。図４の（ｃ）に示すように、Ｌ２母線３において母線固定台４と接する側の側面には、分岐ブレーカ１２に接続するための複数の端子が形成され、母線固定台４には、当該複数の端子を通すための複数の開口部が形成されている。
【００２９】
図４の（ｄ）は、母線固定台４にＬ２母線３を取付けた後の状態を示す。図４の（ｄ）に示すように、Ｌ２母線３に形成されている複数の端子のそれぞれが母線固定台４に形成されている複数の開口部を通って露出するように、Ｌ２母線３が母線固定台４に配置される。
【００３０】
図５の（ａ）は、母線固定台４にＮ母線１を取付ける前の状態を示す。図５の（ａ）に示すように、Ｌ１母線２およびＬ２母線３が取り付けられている母線固定台４において、Ｌ１母線２における分岐ブレーカ１２に接続するための複数の端子と、Ｌ２母線３における分岐ブレーカ１２に接続するための複数の端子とが、母線固定台４から露出して交互に配列されている。
【００３１】
さらに、Ｎ母線１を母線固定台４に取り付ける工程について説明する。図５の（ａ）に示すように、Ｎ母線１において母線固定台４と接する側の側面には、分岐ブレーカ１２に接続するための複数の端子が形成され、母線固定台４には、当該複数の端子を通すための複数の開口部４ａおよび４ｂが形成されている。
【００３２】
図５の（ｂ）は、母線固定台４にＮ母線１を取付けた後の状態を示す。図５の（ｂ）に示すように、Ｎ母線１に形成されている複数の端子のそれぞれが母線固定台４に形成されている複数の開口部４ａを通って露出するように、Ｎ母線１が母線固定台４に配置される。
【００３３】
図５の（ｃ）は、母線固定台４と絶縁壁５とで各母線１〜３を挟み込んで固定する前の状態を示す。図５の（ｃ）に示すように、Ｌ１母線２、Ｌ２母線３およびＮ母線１は、母線固定台４の長手方向において互いに平行となるように配置されている。Ｌ１母線２およびＮ母線１において、絶縁壁５に取り付けられる側の形状は板形状であり、Ｌ２母線３において、絶縁壁５に取り付けられる側の形状はＬ字形状である。絶縁壁５には、Ｎ母線１、Ｌ１母線２およびＬ２母線３に対応する複数の溝が形成されている。
【００３４】
図５の（ｄ）は、母線固定台４と絶縁壁５とで各母線１〜３を挟み込んで固定した後の状態を示す。図５の（ｄ）に示すように、絶縁壁５に形成された複数の溝には、対応する母線１〜３が挿入され、Ｎ母線１、Ｌ１母線２およびＬ２母線３が母線固定台４と絶縁壁５とで挟み込んで固定される。
【００３５】
（母線構造）
次に、図６に基づいて、母線１〜３の各端子と複数の分岐開閉器のそれぞれとの接続状態について説明する。図６は、母線１〜３の各端子と複数の分岐開閉器のそれぞれとの接続状態を説明するための図である。図６の（ａ）は、母線固定台４の複数の開口部４ａおよび４ｂ〔図５の（ａ）参照〕のそれぞれから母線１〜３の各端子が延出している状態を示す。
【００３６】
図６の（ａ）に示す母線マトメ部材１０（絶縁壁５は除外）では、母線１〜３が母線固定台４により固定されており、分電盤３０に設けられた複数の分岐開閉器（図２参照）のそれぞれに、１００Ｖ回路用の電圧（第１の定格電圧）および２００Ｖ回路用の電圧（第２の定格電圧）のいずれかが、母線１〜３により供給されるようになっている。
【００３７】
また、同図に示すように、母線マトメ部材１０では、複数の分岐開閉器のそれぞれに対して母線１〜３の少なくとも２つを接続するために、母線１〜３が母線固定台４の複数の開口部４ａおよび４ｂのそれぞれから露出する部位である複数の端子について、１００Ｖ回路用の電圧で使用される第１の端子群と、１００Ｖ回路用の電圧と２００Ｖ回路用の電圧とで切り替えて使用される第２の端子群と、が形成されている。
【００３８】
図６の（ａ）に示す端子１ａ、２ａおよび３ａは、それぞれ第１の端子群に属する端子である。一方、端子１ｂ、２ｂおよび３ｂは、それぞれ第２の端子群に属する端子である。すなわち、四角の一点鎖線で囲んだ第１領域４１に含まれる端子は、第１の端子群の端子であり、四角の破線で囲んだ第２領域４２に含まれる端子は、第２の端子群に属する端子である。
【００３９】
より具体的には、第１の端子群に属する端子は、図２に示す分岐ブレーカ１２に含まれる分岐開閉器の電源側端子と接続されて、該分岐開閉器に１００Ｖの電源を供給する状態をとる端子のことである。一方、第２の端子群に属する端子は、図７の（ａ）および図７の（ｂ）に示すように分岐開閉器１２ａの電源側端子が内包されるスライド部材１２ｂを左右にスライドさせることにより、分岐開閉器１２ａの電源側端子に選択的に接続されて、分岐開閉器１２ａに１００Ｖの電源を供給する状態と、２００Ｖの電源を供給する状態と、の２つの状態を取り得る端子のことである。
【００４０】
以上のように、母線固定台４の表面上で第１の端子群に含まれる複数の端子が露出する領域である第１領域４１と、母線固定台４の表面上で第２の端子群に含まれる複数の端子が露出する領域である第２領域４２とは、互いに隣り合う異なる領域として形成されていることが好ましい。これにより、第１の端子群に含まれる端子と、第２の端子群に含まれる端子とが互い違いに配置される等の構造が除外される。このため、例えば、第１の端子群に含まれる端子と、第２の端子群に含まれる端子とが互い違いに配置される構造と比較して、母線同士の絶縁を確保するための構造がより簡単になる。
【００４１】
また、図６の（ａ）に示すように、第２領域４２は、母線固定台４の長手方向における端部付近に形成されていることが好ましい。これにより、第２領域４２を、母線固定台４の長手方向における端部付近に形成することで、母線同士の絶縁を確保するために、各母線を交差させる必要がなくなるため、母線同士の絶縁を確保するための構造がより簡単になる。
【００４２】
さらに、第１の端子群は、１００Ｖ回路用の電圧のみで使用されることが好ましい。より具体的には、第１の端子群に属する端子は、図２に示す分岐ブレーカ１２を左右にスライドさせても、分岐開閉器の１００Ｖ回路用の端子と接続される端子となっていることが好ましい。以上により、第１の端子群については、母線同士の絶縁を確保するために、それぞれの母線を交差させる必要がないため、その分母線同士の絶縁を確保するための構造が簡単になる。
【００４３】
次に、図６の（ｂ）は、１００Ｖ回路に用いられる端子の組合せを示す。一方、図６の（ｃ）は、２００Ｖ回路に用いられる端子の組合せを示す。図６の（ｂ）に示すＮ母線１の端子１ｂとＬ１母線２の端子２ｂとが、分岐開閉器の１００Ｖ回路用の端子と接続されると、１００Ｖ回路用の電圧が印加される。同様に、Ｎ母線１の端子１ｂとＬ２母線３の端子３ｂとが、分岐開閉器の１００Ｖ回路用の端子と接続されると、１００Ｖ回路用の電圧が印加される。一方、図６の（ｃ）に示すＬ１母線２の端子２ｂとＬ２母線３の端子３ｂとが、分岐開閉器の２００Ｖ回路用の端子と接続されると、２００Ｖ回路用の電圧が印加される。
【００４４】
上記構成によれば、母線固定台４の表面上の複数の開口部４ａおよび４ｂ〔図５の（ａ）参照〕から露出する複数の端子の一部が、第１の端子群となっている。ここで、仮に第２の端子群を母線１〜３全体に亘って設ける場合、母線同士の絶縁を確保するために、各母線が接触しないように絶縁距離を保って各母線を交差させる必要がある。このため、母線固定台４の表面上の複数の開口部４ａおよび４ｂから露出する全端子に対して第２の端子群に属する端子の割合が多くなる程、母線同士の絶縁を確保するための構造が複雑になる。一方、本実施形態の母線構造では、母線固定台４の表面上の複数の開口部４ａおよび４ｂから露出する全端子の中に第１端子群に属する端子が存在しているため、母線固定台４から露出する全端子が第２端子群に属する端子となる従来技術と比較して、母線同士の絶縁を確保するための構造が簡単になる。以上により、母線固定台４に固定される母線１〜３のそれぞれの母線同士の絶縁を確保するための構造を簡単にすることができる。
【００４５】
次に、図７に基づいて、分岐開閉器の電源側端子と母線１〜３の各端子との位置関係の具体例について説明する。図７の（ａ）は、分岐開閉器１２ａに１００Ｖの電源を供給する状態における各端子の位置関係を示している。同図に示す状態では、電源側端子を内包して、左右にスライドするスライド部材１２ｂがＮ母線１の端子１ｂと対向する位置にスライドすることにより、Ｎ母線１の端子１ｂが、分岐開閉器１２ａの電源側端子に接続可能な状態となっている。
【００４６】
一方、図７の（ｂ）は、分岐開閉器１２ａに２００Ｖの電源を供給する状態における各端子の位置関係を示している。同図に示す状態では、スライド部材１２ｂがＬ１母線２の端子２ｂと対向する位置にスライドすることにより、Ｌ１母線２の端子２ｂが、分岐開閉器１２ａの電源側端子に接続可能な状態となっている。
【００４７】
次に、図８に基づいて、母線１〜３のそれぞれの詳細な構造について説明する。まず、図８の（ａ）に示す母線は、Ｎ母線１である。Ｎ母線１では、第１の端子群に属する端子１ａ（１０個）と、第２の端子群に属する端子１ｂ（２個）とが形成されている。
【００４８】
次に、図８の（ｂ）に示す母線は、Ｌ１母線２である。Ｌ１母線２では、第１の端子群に属する端子２ａ（５個）と、第２の端子群に属する端子２ｂ（２個）とが形成されている。ここで、一番左側の端子２ｂだけは、他の端子よりも上方に張り出しており、母線の真上から見て、母線の外側から周り込むようにＬ字形状を為している。この構造は、１００Ｖ回路用の電圧と、２００Ｖ回路用の電圧とを切り替えるために必要な構造となっている。このため、母線から延出する全端子に対して第２の端子群に属する端子の割合が大きくなると、母線の構造が複雑になる。
【００４９】
次に、図８の（ｃ）に示す母線は、Ｌ２母線３である。Ｌ２母線３では、第１の端子群に属する端子３ａ（５個）と、第２の端子群に属する端子３ｂ（２個）とが形成されている。ここで、一番左側の端子３ｂだけは、他の端子よりも上方に張り出しており、母線の真上から見て、母線の外側から周り込むようＬ字形状を為している。このＬ１母線２と同様の構造は、１００Ｖ回路用の電圧と、２００Ｖ回路用の電圧とを切り替えるために必要な構造となっている。
【００５０】
以上のように、Ｌ１母線２およびＬ２母線３のぞれぞれの１００Ｖ回路用の電圧と２００Ｖ回路用の電圧との切替え部分（一番左側の端子２ｂ、３ｂ）を、端部付近（末端回路付近）に限定することにより、母線１〜３のそれぞれの母線同士を交差させる必要がなくなるため、母線同士の絶縁を確保するための構造がより簡単になる。
【００５１】
また、従来のように母線１〜３の全端子が、第２の端子群に属する端子となる構造の場合、１００Ｖ回路用の電圧と、２００Ｖ回路用の電圧とを切り替え可能にするため、Ｌ１母線２およびＬ２母線３のそれぞれの端子を、Ｎ母線１の端子と同じ高さで延出させる必要がある。このため、母線容量が限定され、端子の大きさを大きくすることができなかった。しかしながら、本実施形態の母線構造によれば、端部付近（末端回路付近）以外は、自由に母線容量を変更することができるため、使用中にける温度上昇を抑制し得るなどの温度対策ができるようになった。
【００５２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５３】
本発明は、分電盤に利用することができる。
【符号の説明】
【００５４】
１  Ｎ母線
１ａ  端子
１ｂ  端子
２  Ｌ１母線
２ａ  端子
２ｂ  端子
３  Ｌ２母線
３ａ  端子
３ｂ  端子
４  母線固定台
１２  分岐ブレーカ（分岐開閉器）
１２ａ  分岐開閉器
【図１】
0006553910.tif 000002
【図２】
0006553910.tif 000003
【図３】
0006553910.tif 000004
【図４】
0006553910.tif 000005
【図５】
0006553910.tif 000006
【図６】
0006553910.tif 000007
【図７】
0006553910.tif 000008
【図８】
0006553910.tif 000009